(57)【要約】【課題】チューニングピンとヒッチピンの間に張ったときの弦の緩みを防止でき、それにより、初期の調律を安定して適切に行うことができる鍵盤楽器の弦を提供する。【解決手段】楽器本体４に回転自在に設けられたチューニングピン６と、楽器本体に固定されたヒッチピン７との間に張られる鍵盤楽器３の弦Ｓであって、チューニングピン６とヒッチピン７の間に張られる芯線部１ａと、芯線部１ａの一端部を曲げることによって形成され、ヒッチピン７に引っ掛けられる輪部１ｂと、輪部１ｂから折り返され、芯線部１ａに巻き付けられた巻部１ｃ，１０ｃと、巻部１ｃ，１０ｃと芯線部１ａの間に塗布され、硬化することによって、巻部１ｃ，１０ｃと芯線部１ａの間を固定する固定剤２と、を備える。【選択図】図１
2008209638.tif 000002
【特許請求の範囲】
【請求項１】
楽器本体に回転自在に設けられたチューニングピンと、前記楽器本体に固定されたヒッチピンとの間に張られる鍵盤楽器の弦であって、
前記チューニングピンと前記ヒッチピンの間に張られる芯線部と、
当該芯線部の一端部を曲げることによって形成され、前記ヒッチピンに引っ掛けられる輪部と、
当該輪部から折り返され、前記芯線部に巻き付けられた巻部と、
当該巻部と前記芯線部の間に塗布され、硬化することによって、前記巻部と前記芯線部の間を固定する固定剤と、
を備えることを特徴とする鍵盤楽器の弦。
【発明の詳細な説明】
【技術分野】
【０００１】
本発明は、チューニングピンとヒッチピンの間に張られる、ピアノなどの鍵盤楽器の弦に関する。
【背景技術】
【０００２】
従来のピアノの弦として、例えば特許文献１に開示されたものが知られている。この弦は、ピアノの低音部用のものであり、芯線と、芯線に巻かれた被覆銅線で構成されている。被覆銅線は、銅線を硬質樹脂で被覆することによって構成されており、それにより、銅線の酸化を防止するようにしている。
【０００３】
また、特許文献１には開示されていないが、ピアノの中高音用の弦は、一端部がチューニングピンに巻き付けられ、他端部がヒッチピンに巻き掛けられた状態で、チューニングピンとヒッチピンの間に張られている。図３は、ヒッチピン側の弦Ｓの一部を示している。同図に示すように、弦Ｓは、チューニングピンとヒッチピンの間に張られる芯線部１ａと、芯線部１ａの端部を曲げることによって形成され、ヒッチピンに引っ掛けられる輪部１ｂと、輪部１ｂから折り返され、芯線部１ａに巻き付けられた巻部１ｃを備えている。
【０００４】
しかし、この従来の弦Ｓでは、巻部１ｃが芯線部１ａに単純に巻き付けられているだけなので、弦Ｓを張った場合、弦Ｓに作用する大きな張力（例えば最大９０ｋｇ）によって芯線部１ａが引っ張られ、巻部１ｃに対して相対的にずれるため、弦Ｓが緩みやすい。このため、特に調律の初期において、弦Ｓの緩みが安定するまでの間、調律を適切に行うことができない。
【０００５】
本発明は、このような課題を解決するためになされたものであり、チューニングピンとヒッチピンの間に張ったときの弦の緩みを防止でき、それにより、初期の調律を安定して適切に行うことができる鍵盤楽器の弦を提供することを目的とする。
【０００６】
【特許文献１】実開平６−５００８９号公報
【発明の開示】
【課題を解決するための手段】
【０００７】
この目的を達成するため、請求項１に係る発明は、楽器本体に回転自在に設けられたチューニングピンと、楽器本体に固定されたヒッチピンとの間に張られる鍵盤楽器の弦であって、チューニングピンとヒッチピンの間に張られる芯線部と、芯線部の一端部を曲げることによって形成され、ヒッチピンに引っ掛けられる輪部と、輪部から折り返され、芯線部に巻き付けられた巻部と、巻部と芯線部の間に塗布され、硬化することによって、巻部と芯線部の間を固定する固定剤と、を備えることを特徴とする。
【０００８】
この鍵盤楽器の弦によれば、芯線部の一端部を曲げることによって輪部が形成され、この輪部がヒッチピンに引っ掛けられる。また、輪部から折り返され、芯線部に巻き付けられた巻部と、芯線部との間に固定剤が塗布され、硬化することによって、巻部と芯線部の間が固定される。このため、チューニングピンとヒッチピンの間に弦が張られ、弦に大きな張力が作用しても、芯線部と巻部のずれを防止することができ、弦の緩みを防止することができる。その結果、初期の調律を安定して適切に行えるとともに、調律後のピッチの低下を抑制することができる。また、巻部と芯線部の間に固定剤を塗布するだけで、上記の作用を安価かつ容易に得ることができる。
【発明を実施するための最良の形態】
【０００９】
以下、図面を参照しながら、本発明の好ましい実施形態を詳細に説明する。図１は、本発明の実施形態によるグランドピアノ３（鍵盤楽器）の弦Ｓの一部を示している。なお、以下の説明では、図３に示す弦Ｓと同様の構成については、同じ参照番号を付すものとする。
【００１０】
同図（ａ）に示す弦Ｓは、中高音部用の弦ＳＨであり、芯線で構成されている。この芯線は、高炭素鋼で作られたミュージックワイヤで構成されている。また、弦ＳＨは、芯線部１ａと、芯線部１ａの一端部を曲げ、輪状に形成された輪部１ｂと、輪部１ｂから折り返され、芯線部１ａに巻き付けられた巻部１ｃを備えている。巻部１ｃと芯線部１ａの間には、両者の全体にわたって固定剤２が塗布されている。固定剤２は、例えば接着剤、封着剤やエポキシ系の樹脂で構成されている。このように、巻部１ｃと芯線部１ａの間に固定剤２が塗布され、緩みにくくすることによって、芯線部１ａと巻部１ｃの間が固定される。
【００１１】
一方、同図（ｂ）に示す弦Ｓは、低音部用の弦ＳＬであり、巻線で構成されている。この巻線は、芯線の一部に銅線（図示せず）を巻くことによって構成されている。また、弦ＳＬは、芯線部１ａと、芯線部１ａの一端部を曲げ、輪状に形成された輪部１ｂと、輪部１ｂから延び、芯線部１ａと縒り合わされ、その先端部が芯線部１ａに巻き付けられた縒部１０ｃ（巻部）を備えている。この縒部１０ｃは、弦ＳＨの巻部１ｃよりも長い。縒部１０ｃの両端部と芯線部１ａの間には、上述した固定剤２が塗布されており、これが緩みを防止することによって、芯線部１ａと縒部１０ｃの間が固定される。
【００１２】
図２は、中高音部用の弦ＳＨをグランドピアノ３に設置した状態を示している。グランドピアノ３のフレーム４は、鋳物で構成されている。フレーム４の前端部（同図の右側）には、ピン板（図示せず）を介して、多数のチューニングピン６（１つのみ図示）が回転自在に設けられている。また、フレーム４の後端部（同図の左側）には、多数のヒッチピン７（１つのみ図示）が固定されている。このヒッチピン７に弦ＳＨの輪部１ｂを引っ掛けるとともに、チューニングピン６に輪部１ｂと反対側の弦ＳＨの端部を巻き付けることによって、弦ＳＨがチューニングピン６とヒッチピン７の間に張られている。
【００１３】
弦ＳＨは、ヒッチピン７側の部分において、響板５の上面に固定された駒８の駒ピン８ａに係合している。また、弦ＳＨは、チューニングピン６と駒８の中間部において、フレーム４から下方に突出するカポ・ダストロ・バー４ａに係合しており、これにより、弦ＳＨに下こじが与えられている。
【００１４】
以上により、鍵の押鍵に伴いハンマー（ともに図示せず）が弦Ｓを打弦するのに伴って弦Ｓが振動し、この弦Ｓの振動が響板５に伝達されることによって、ピアノ音が発生する。また、グランドピアノ３の調律は、チューニングピン６を回し、弦Ｓの張力を調整することによって行われる。
【００１５】
以上のように、本実施形態によれば、芯線部１ａと巻部１ｃの間、および芯線部１ａと縒部１０ｃの間が、固定剤２によって固定されているので、チューニングピン６とヒッチピン７の間に張られた弦Ｓに大きな張力が作用しても、芯線部１ａと巻部１ｃ、および芯線部１ａと縒部１０ｃのずれを防止でき、弦Ｓの緩みを防止することができる。その結果、初期の調律を安定して適切に行えるとともに、調律後のピッチの低下を抑制することができる。また、芯線部１ａと、巻部１ｃおよび縒部１０ｃの間に固定剤２を塗布するだけで、上記の作用を安価かつ容易に得ることができる。さらに、弦Ｓの巻部１ｃおよび縒部１０ｃにのみ固定剤２を部分的に塗布するので、固定剤２が弦Ｓの振動を妨げることがなく、グランドピアノ３の音響を維持することができる。
【００１６】
なお、本発明は、説明した実施形態に限定されることなく、種々の態様で実施することができる。例えば、実施形態では、中高音部用の弦ＳＨの巻部１ｃ全体に固定剤２を塗布しているが、部分的に塗布してもよい。また、実施形態では、低音部用の弦ＳＬの縒部１０ｃの両端部に固定剤２を塗布しているが、これに限らず、両端部以外の部位に塗布してもよく、また、中高音部用の巻部１ｃと同様、縒部１０ｃ全体に塗布してもよい。
【００１７】
さらに、実施形態では、固定剤２として、接着剤、封着剤やエポキシ系の樹脂を用いているが、芯線部１ａと、巻部１ｃおよび縒部１０ｃの間を固定可能なものであれば、任意のものを採用することができる。
【００１８】
また、実施形態は、グランドピアノ用の弦の例であるが、本発明はこれに限らず、アップライトピアノや、他のタイプの鍵盤楽器、例えばハープシーコードなどの弦にも適用することが可能である。その他、本発明の趣旨の範囲内で、細部を適宜、変更することが可能である。
【図面の簡単な説明】
【００１９】
【図１】本発明のグランドピアノの（ａ）中高音部用および（ｂ）低音部用の弦の一部を示す図である。
【図２】中高音部用の弦を設置したグランドピアノの一部を示す側断面図である。
【図３】従来の鍵盤楽器の弦の一部を示す図である。
【符号の説明】
【００２０】
１ａ  芯線部
１ｂ  輪部
１ｃ  巻部
２  固定剤
３  グランドピアノ（鍵盤楽器）
４  フレーム（楽器本体）
６  チューニングピン
７  ヒッチピン
１０ｃ  縒部（巻部）
Ｓ  弦
【図１】
2008209638.tif 000003
【図２】
2008209638.tif 000004
【図３】
2008209638.tif 000005